【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
既に保存されている第１のテキストオブジェクトをディスプレイに表示する第１の表示手段と、
前記表示されている第１のテキストオブジェクトのユーザーによる選択に基づいて、テキスト入力領域を前記ディスプレイに表示する第２の表示手段と、
前記表示されているテキスト入力領域に対するテキストのユーザーによる入力の完了に基づいて、当該入力されたテキストを、既に表示されている前記第１のテキストオブジェクトに関連付けられた第２のテキストオブジェクトとして保存する保存手段と、
前記関連付けに従った表示態様で、保存されている前記第１および第２のテキストオブジェクトを前記ディスプレイに表示する第３の表示手段と、
を有することを特徴とする情報処理システム。
【請求項２】
前記第２の表示手段は、前記第３の表示手段によって表示されている前記第２のテキストオブジェクトのユーザーによる選択に基づいて、別のテキスト入力領域を前記ディスプレイに表示し、
前記保存手段は、前記第２の表示手段によって表示されている別のテキスト入力領域に対するテキストのユーザーによる入力の完了に基づいて、当該入力されたテキストを、既に表示されている前記第２のテキストオブジェクトに関連付けられた第３のテキストオブジェクトとして保存し、
前記第３の表示手段は、前記第２および第３のテキストオブジェクトどうしの関連付けに従った表示態様で、前記第３のテキストオブジェクトを前記ディスプレイにさらに表示することを特徴とする請求項１に記載の情報処理システム。
【請求項３】
前記第２の表示手段は、前記第３の表示手段によって前記第１および第２のテキストオブジェクトが前記ディスプレイに表示されている際の当該第１のテキストオブジェクトのユーザーによる選択に基づいて、前記テキスト入力領域が表示された位置とは異なる位置に、別のテキスト入力領域を前記ディスプレイに表示することを特徴とする請求項１または２に記載の情報処理システム。
【請求項４】
前記第２の表示手段は、前記ディスプレイに表示されているテキストオブジェクトのユーザーによる選択に基づいてテキスト入力領域を前記ディスプレイに表示する際、当該選択されたテキストオブジェクトの表示位置に基づいて決まる位置に、当該テキスト入力領域を表示することを特徴とする請求項１乃至３の何れか１項に記載の情報処理システム。
【請求項５】
前記第２の表示手段は、前記ディスプレイに表示されているテキストオブジェクトのユーザーによる選択に基づいてテキスト入力領域を前記ディスプレイに表示する際、当該選択されたテキストオブジェクトの表示位置から少なくとも水平方向に所定距離だけ離れた位置に、当該テキスト入力領域を表示することを特徴とする請求項４に記載の情報処理システム。
【請求項６】
前記第１のテキストオブジェクトは、ユーザーによって手書きされたテキストに基づいて得られたテキストオブジェクトであることを特徴とする請求項１に記載の情報処理システム。
【請求項７】
前記テキスト入力領域に対する前記テキストのユーザーによる入力は、タッチパネル、マウス、キーボードの少なくとも何れかによってなされることを特徴とする請求項１に記載の情報処理システム。
【請求項８】
前記関連付けに従った表示態様とは、スレッド形式による表示態様であることを特徴とする請求項１に記載の情報処理システム。
【請求項９】
オリジナル画像を印刷することで得られる印刷物に対しての手書きコメント情報を、画像オブジェクトとして取得する手書きコメント取得手段と、
前記手書きコメント情報を、ユーザー指示に基づいて選択する選択手段と、
前記選択手段によって選択された手書きコメント情報に対する電子コメント情報を取得する電子コメント取得手段と、
前記選択手段で選択された手書きコメント情報と、前記電子コメント取得手段で取得された電子コメント情報とを、スレッド情報として関連付けて管理するスレッド管理手段と、
前記スレッド管理手段で管理されるスレッド情報を、前記オリジナル画像に重ね合わせてスレッド状に表示する表示手段と、
を有することを特徴とする情報処理システム。
【請求項１０】
前記表示手段は、スレッド情報を前記オリジナル画像に重ね合わせる場合、前記管理手段で管理される複数のスレッド情報を表示し、スレッド情報を、前記印刷物を撮像することによって得られる画像に重ね合わせる場合、前記管理手段で管理される単一のスレッド情報を表示する請求項９の情報処理システム。
【請求項１１】
前記手書きコメント取得手段は、
前記手書きコメント情報を、前記手書きコメント情報の座標情報と共に取得し、
前記表示手段は、
前記手書きコメント情報の座標情報に基づく位置に前記手書きコメント情報を表示し、前記表示された手書きコメント情報が前記選択手段によって選択されると、前記電子コメント情報を取得するためのコメント入力領域を、前記選択された手書きコメント情報の表示位置に基づく位置に表示し、
前記電子コメント取得手段は、
前記コメント入力領域の表示位置を前記電子コメント情報の座標情報として、前記電子コメント情報の座標情報と共に前記コメント入力領域を介して入力される電子コメント情報を取得し、
前記表示手段は、
前記手書きコメント情報および前記電子コメント情報の座標情報に基づいて、前記スレッド情報をスレッド表示することを特徴とする請求項９に記載の情報処理システム。
【請求項１２】
前記表示手段は、
前記表示された手書きコメント情報が前記選択手段によって選択された場合、前記コメント入力領域を、前記選択された手書きコメント情報の表示位置から所定の距離だけ離れた位置に表示することで、前記手書きコメント情報の表示領域と前記コメント入力領域の表示領域とが重ならない位置にコメント入力領域を表示することを特徴とする請求項１１に記載の情報処理システム。
【請求項１３】
前記コメント入力領域は、電子コメント情報とする文字列の入力を受け付ける文字列入力領域と、参照ファイル情報とする参照ファイルの添付の入力を受け付ける参照ファイル入力領域とを有することを特徴とする請求項１１に記載の情報処理システム。
【請求項１４】
前記選択手段は、
前記表示手段で表示された画像のうち、手書きコメント情報の表示領域をユーザー指示に基づいて選択することで手書きコメント情報を選択し、電子コメント情報の表示領域をユーザー指示に基づいて選択することで電子コメント情報を選択し、
前記選択手段が、前記表示手段で表示された手書きコメント情報および電子コメント情報の表示領域のいずれも含まない表示領域をユーザー指示に基づいて選択した場合、
前記表示手段は、コメント入力領域を表示し、
前記電子コメント取得手段は、前記コメント入力領域を介して入力される電子コメント情報を取得し、
前記スレッド管理手段は、スレッド情報を新規に生成し、前記取得された電子コメント情報を、前記生成された新規のスレッド情報に追加して管理し、
前記選択手段が、前記表示手段で表示された手書きコメント情報または電子コメント情報の表示領域のいずれかを含む表示領域をユーザー指示に基づいて選択した場合、
前記表示手段は、前記コメント入力領域を表示し、
前記電子コメント取得手段は、前記コメント入力領域を介して入力される電子コメント情報を取得し、
前記スレッド管理手段は、スレッド情報を新規に生成せずに、前記取得された電子コメント情報を、前記選択手段によって選択された表示領域に対応する手書きコメント情報または電子コメント情報が管理されているスレッド情報に追加して管理することを特徴とする請求項９に記載の情報処理システム。
【請求項１５】
第１の表示手段が、既に保存されている第１のテキストオブジェクトをディスプレイに表示する工程と、
第２の表示手段が、前記表示されている第１のテキストオブジェクトのユーザーによる選択に基づいて、テキスト入力領域を前記ディスプレイに表示する工程と、
保存手段が、前記表示されているテキスト入力領域に対するテキストのユーザーによる入力の完了に基づいて、当該入力されたテキストを、既に表示されている前記第１のテキストオブジェクトに関連付けられた第２のテキストオブジェクトとして保存する工程と、
第３の表示手段が、前記関連付けに従った表示態様で、保存されている前記第１および第２のテキストオブジェクトを前記ディスプレイに表示する工程と、
を有することを特徴とする情報処理方法。
【手続補正２】
【補正対象書類名】明細書
【補正対象項目名】０００５
【補正方法】変更
【補正の内容】
【０００５】
本発明の情報処理システムは、既に保存されている第１のテキストオブジェクトをディスプレイに表示する手段と、前記表示されている第１のテキストオブジェクトのユーザーによる選択に基づいて、テキスト入力領域を表示する手段と、前記表示されているテキスト入力領域に対するテキストのユーザーによる入力の完了に基づいて、前記入力されたテキストを、既に表示されている前記第１のテキストオブジェクトに関連付けられた第２のテキストオブジェクトとして保存する手段と、前記関連付けに従った表示態様で、保存されている前記第１および第２のテキストオブジェクトを前記ディスプレイに表示する手段と、を有することを特徴とする。